(57)【特許請求の範囲】
【請求項１】
駆動信号に応じて第１波長の光を第１の方向へ発する第１光源と、
前記第１光源と共に所定の配列方向に沿って互いに並列に配置され、駆動信号に応じて、互いに異なる第２波長の光を前記第１の方向へ発する複数の第２光源と、
前記第１光源及び各前記第２光源へ前記駆動信号を供給するドライバと、
前記第１光源から発せられた第１波長の光及び各前記第２光源から発せられた第２波長の光を合成する光合成器とを有し、
前記光合成器は、
前記第１光源から発せられた第１波長の光の一部を透過し、かつ、当該一部を除く他の光を前記第１の方向と交差する第２の方向へ反射する光学素子と、
前記光学素子によって透過された前記第１波長の光の一部を受光する受光素子と、
前記複数の第２光源に対応してそれぞれ配置され、各々が各前記第２光源から発せられた第２波長の光を透過し、かつ、前記第２の方向から入射される他の光を反射して、前記第２波長の光と前記他の光との合成光を出力する複数のフィルタと、
各々が各前記フィルタから出力された合成光に含まれる前記第２波長の光の一部を透過し、かつ、当該一部を除く他の光を前記第２の方向へ反射する複数の第１光学素子と、
各々が各前記第１光学素子によって透過された前記第２波長の光の一部を受光する複数の第１受光素子と
を有することを特徴とする光モジュール。
【請求項２】
前記複数の第２光源のうち前記第１光源から最も遠い第２光源である終端光源が第２波長の光を発する第１の方向と交差する第２の方向に沿って配置された光ファイバをさらに有し、
前記終端光源に配置された前記フィルタに対応する前記第１光学素子は、
前記フィルタから出力された合成光に含まれる前記第２波長の光の一部を透過し、かつ、当該一部を除く前記合成光を前記光ファイバへ反射する
ことを特徴とする請求項１に記載の光モジュール。
【請求項３】
前記フィルタは、
前記複数の第２光源のうち前記第１光源から最も遠い第２光源である終端光源に配置されず、
前記光合成器は、
前記終端光源に配置され、前記終端光源から発せられた第２波長の光の一部を反射し、当該一部を除く前記第２波長の光を透過し、かつ、前記第２の方向から入射される他の光を反射して、前記第２波長の光と前記他の光との合成光を出力する第２光学素子と、
前記第２光学素子によって反射された前記第２波長の光の一部を受光する第２受光素子と
をさらに有することを特徴とする請求項１に記載の光モジュール。
【請求項４】
前記終端光源が第２波長の光を発する第１の方向に沿って配置された光ファイバをさらに有し、
前記第２光学素子は、
前記合成光を前記光ファイバへ出力する
ことを特徴とする請求項３に記載の光モジュール。
【請求項５】
前記受光素子によって受光された前記第１波長の光の一部を示す値と、予め定められた目標値との差分に基づいて、前記ドライバによって前記第１光源へ供給される前記駆動信号を制御する制御部と、
各々が各前記第１受光素子によって受光された前記第２波長の光の一部を示す値と、前記目標値との差分に基づいて、前記ドライバによって各前記第２光源へ供給される前記駆動信号を制御する複数の第１制御部と
をさらに有することを特徴とする請求項１に記載の光モジュール。
【請求項６】
前記受光素子によって受光された前記第１波長の光の一部を示す値と、予め定められた目標値との差分に基づいて、前記ドライバによって前記第１光源へ供給される前記駆動信号を制御する制御部と、
各々が前記第１受光素子によって受光された前記第２波長の光の一部を示す値と、予め定められた目標値との差分に基づいて、前記ドライバによって前記終端光源を除く各前記第２光源へ供給される前記駆動信号を制御する複数の第１制御部と、
前記第２受光素子によって受光された前記第２波長の光の一部を示す値と、前記目標値との差分に基づいて、前記ドライバによって前記終端光源へ供給される前記駆動信号を制御する第２制御部と
をさらに有することを特徴とする請求項３に記載の光モジュール。
【請求項７】
前記光学素子及び各前記第１光学素子は、
透光性を有する基板と、
前記基板の一面に形成され、入射される光の一部を透過し、かつ、該光の残りの一部を反射する光学膜と、
前記基板の他面に形成された反射防止膜と
を有することを特徴とする請求項１に記載の光モジュール。
【発明の詳細な説明】
【技術分野】
【０００１】
本発明は、光モジュールに関する。
【背景技術】
【０００２】
従来、光伝送装置等に用いられる光モジュールには、互いに異なる波長の複数の光を合成する光合成器が搭載されることがある。光合成器は、例えば、所定波長の光を透過しかつ他の光を反射して合成光を出力するＢＰＦ（Band  Pass  Filter）と、ＢＰＦからの合成光を反射する反射素子とを有し、ＢＰＦと反射素子とで形成されるジグザグ状の光路を用いて、各波長の光を合成する。
【０００３】
また、光モジュールには、各波長の光を発する光源であるＬＤ（Laser  Diode）の後方にＰＤ（Photo  Diode）が配置されている。ＰＤは、ＬＤから後方に発せられた光を受光し、光合成器によって合成される光に関して、波長毎に光パワーをモニタリングする。そして、光モジュールは、ＰＤがモニタリングした光パワーを用いて、ＬＤの出力レベルを一定に維持するＡＰＣ（Automatic  Power  Control）処理を行っていた。
【０００４】
ところで、近年では、ＬＤへ駆動信号を供給するドライバをＬＤの後方に配置した光モジュールが検討されている。ドライバがＬＤの後方に配置される構造では、ドライバからＬＤへ駆動信号を伝搬するための信号線の長さが短くなり、駆動信号の劣化が抑えられるという利点がある。ただし、このような光モジュールでは、ＬＤの後方のスペースがドライバによって占有されるため、ＬＤの後方にＰＤを配置することが困難となる。
【０００５】
そこで、光合成器の内部にＰＤを配置することが検討されている。例えば、光合成器内の反射素子に光の一部を透過する透過部を設け、反射素子の透過部を透過した光を反射素子の後方に配置されたＰＤに入射させる技術が知られている。
【先行技術文献】
【特許文献】
【０００６】
【特許文献１】特開２００８−９０１３８号公報
【発明の概要】
【発明が解決しようとする課題】
【０００７】
しかしながら、光合成器内の反射素子に光の一部を透過する透過部を設ける従来技術では、透過部が波長選択性を有しないため、ＢＰＦからの合成光、つまり、種々の波長の光を含む合成光がＰＤに入射される。このため、従来技術では、ＰＤによって波長毎の光パワーをモニタリングすることが困難である。
【０００８】
この点、反射素子の透過部とＰＤとの間に、波長選択性を有する光学部品を別途設置することが考えられる。しかしながら、波長選択性を有する光学部品が別途配置されると、部品点数が増大し、構成が複雑化する恐れがある。
【０００９】
開示の技術は、上記に鑑みてなされたものであって、簡易な構成で波長毎の光パワーのモニタリングを行うことができる光モジュールを提供することを目的とする。
【課題を解決するための手段】
【００１０】
本願の開示する光モジュールは、一つの態様において、第１光源と、複数の第２光源と、ドライバと、光合成器とを有する。第１光源は、駆動信号に応じて第１波長の光を発する。複数の第２光源は、前記第１光源に対して並列に配置され、駆動信号に応じて、互いに異なる第２波長の光を発する。ドライバは、前記第１光源及び各前記第２光源へ前記駆動信号を供給する。光合成器は、前記第１光源から発せられた第１波長の光及び各前記第２光源から発せられた第２波長の光を合成する。光合成器は、フィルタと、第１光学素子と、第１受光素子とを有する。フィルタは、前記第２光源毎に配置され、各前記第２光源から発せられた第２波長の光を透過し、かつ、当該第２波長の光の進行方向と交差する方向から入射される他の光を反射して、前記第２波長の光と前記他の光との合成光を出力する。第１光学素子は、前記第１光源から発せられた第１波長の光の一部又は前記フィルタから出力された合成光に含まれる前記第２波長の光の一部を透過し、かつ、当該一部を除く他の光を前記進行方向と交差する方向へ反射する。第１受光素子は、前記第１光学素子によって透過された前記第１波長の光の一部又は前記第２波長の光の一部を受光する。
【発明の効果】
【００１１】
本願の開示する光モジュールの一つの態様によれば、簡易な構成で波長毎の光パワーのモニタリングを行うことができるという効果を奏する。
【図面の簡単な説明】
【００１２】
【図１】図１は、実施例１に係る光モジュールの構成を示す図である。
【図２】図２は、実施例１における各ＢＰＦの波長特性の一例を示す図である。
【図３】図３は、実施例１における各ＢＰＦの波長特性の一例を示す図である。
【図４】図４は、実施例１における各ＢＰＦの波長特性の一例を示す図である。
【図５】図５は、実施例１における各光学素子の波長特性の一例を示す図である。
【図６】図６は、実施例１における各光学素子の波長特性の一例を示す図である。
【図７】図７は、実施例１における各光学素子の波長特性の一例を示す図である。
【図８】図８は、実施例１における各光学素子の波長特性の一例を示す図である。
【図９】図９は、実施例１における光学素子の構造の一例を示す図である。
【図１０】図１０は、実施例１における光学素子の構造の一例を示す図である。
【図１１】図１１は、実施例１に係る光モジュールによるＡＰＣ処理の一例を示すフローチャートである。
【図１２】図１２は、実施例２に係る光モジュールの構成を示す図である。
【図１３】図１３は、実施例２における光学素子の波長特性の一例を示す図である。
【図１４】図１４は、実施例２における光学素子の構造の一例を示す図である。
【発明を実施するための形態】
【００１３】
以下に、本願の開示する光モジュールの実施例を図面に基づいて詳細に説明する。なお、この実施例により開示技術が限定されるものではない。また、以下の実施例において、同一の構成部材には同一の符号を付し、重複する説明を省略する。
【実施例１】
【００１４】
まず、実施例１に係る光モジュール１０の構成について説明する。図１は、実施例１に係る光モジュールの構成を示す図である。図１に示すように、光モジュール１０は、ドライバ１１と、ベース部材１２と、ＬＤ１３，１４，１５，１６と、レンズ１７，１８，１９，２０と、光合成器３０と、レンズ４０と、光ファイバ５０と、制御回路６１，６２，６３，６４とを有する。
【００１５】
ドライバ１１は、ＬＤ１３，１４，１５，１６の後方に配置され、ドライバ１１と各ＬＤとを結ぶ信号線を介して、ＬＤ１３，１４，１５，１６へ駆動信号を供給する。
【００１６】
ベース部材１２は、ＬＤ１３，１４，１５，１６と、レンズ１７，１８，１９，２０とを保持する。
【００１７】
ＬＤ１３，１４，１５，１６は、所定の配列方向に沿って互いに並列に配置され、波長の異なる複数の光を発する。具体的には、ＬＤ１３は、所定の配列方向の始端に配置される始端光源であり、ドライバ１１から供給される駆動信号に応じて、波長λ１の光を発する。また、ＬＤ１４，１５，１６は、ＬＤ１３に対して並列に配置され、ドライバ１１から供給される駆動信号に応じて、それぞれ波長λ２，λ３，λ４の光を発する。また、ＬＤ１４，１５，１６のうち、ＬＤ１６は、ＬＤ１３から最も遠い終端光源、言い換えると、所定の配列方向の終端に配置される終端光源である。なお、波長λ１の光は、「第１波長の光」の一例であり、波長λ２，λ３，λ４の光は、「互いに異なる第２波長の光」の一例である。また、ＬＤ１３は、「第１光源」の一例であり、ＬＤ１４，１５，１６は、「複数の第２光源」の一例である。
【００１８】
レンズ１７，１８，１９，２０は、それぞれ、ＬＤ１３，１４，１５，１６から発せられた光、つまり、波長λ１，λ２，λ３，λ４の光をコリメートし、コリメート後の各波長の光を光合成器３０へ出力する。
【００１９】
光合成器３０は、レンズ１７，１８，１９，２０から出力される波長λ１，λ２，λ３，λ４の光を合成し、波長λ１，λ２，λ３，λ４の光を含む合成光を出力する。また、光合成器３０は、ＰＤを内部に有し、ＰＤによって各波長の光パワーをモニタリングする。具体的には、光合成器３０は、ＢＰＦ７１，７２，７３と、光学素子７４，７５，７６，７７と、ＰＤ７８，７９，８０，８１とを有する。そして、ＢＰＦ７１，７２，７３と、光学素子７４，７５，７６，７７とによってジグザグ状の光路が形成される。
【００２０】
ＢＰＦ７１，７２，７３は、ＬＤ１４，１５，１６に関してＬＤ毎に配置され、各ＬＤから発せられた第２波長の光を透過し、かつ、第２波長の光の進行方向と交差する方向から入射される他の光を反射して、第２波長の光と他の光との合成光を出力する。具体的には、ＢＰＦ７１は、ＬＤ１４に配置され、波長λ２の光を透過し、かつ、波長λ２の光の進行方向と交差する方向から入射される他の光を反射して、波長λ２の光と他の光との合成光を出力する。また、ＢＰＦ７２は、ＬＤ１５に配置され、波長λ３の光を透過し、かつ、波長λ３の光の進行方向と交差する方向から入射される他の光を反射して、波長λ３の光と他の光との合成光を出力する。また、ＢＰＦ７３は、ＬＤ１６に配置され、波長λ４の光を透過し、かつ、波長λ４の光の進行方向と交差する方向から入射される他の光を反射して、波長λ４の光と他の光との合成光を出力する。
【００２１】
これらＢＰＦ７１，７２，７３の波長特性は、それぞれ、図２〜４のように表される。ここで、図２〜図４は、実施例１における各ＢＰＦの波長特性の一例を示す図である。図２〜図４において、横軸は、波長を示し、左側の縦軸は、各ＢＰＦの透過率を示し、右側の縦軸は、各ＢＰＦの反射率を示している。各ＢＰＦの透過率のグラフは実線で表され、各ＢＰＦの反射率のグラフは破線で表される。ＢＰＦ７１は、図２に示すように波長λ２の光のみを透過し、かつ、他の波長の光を反射する。ＢＰＦ７２は、図３に示すように波長λ３の光のみを透過し、かつ、他の波長の光を反射する。ＢＰＦ７３は、図４に示すように波長λ４の光のみを透過し、かつ、他の波長の光を反射する。
【００２２】
図１の説明に戻る。光学素子７４，７５，７６，７７は、ＬＤ１３から発せられた第１波長の光の一部又はＢＰＦ７１，７２，７３から出力された合成光に含まれる第２波長の光の一部を透過し、かつ、当該一部を除く他の光を第２波長の光の進行方向と交差する方向へ反射する。具体的には、光学素子７４は、ＬＤ１３から発せられた波長λ１の光の一部を透過し、かつ、当該一部を除く波長λ１の光を他の光としてＢＰＦ７１へ反射する。また、光学素子７５は、ＢＰＦ７１から出力された合成光に含まれる波長λ２の光の一部を透過し、かつ、当該一部を除く合成光を他の光としてＢＰＦ７２へ反射する。また、光学素子７６は、ＢＰＦ７２から出力された合成光に含まれる波長λ３の光の一部を透過し、かつ、当該一部を除く合成光を他の光としてＢＰＦ７３へ反射する。また、光学素子７７は、ＢＰＦ７３から出力された合成光に含まれる波長λ４の光の一部を透過し、かつ、当該一部を除く合成光を他の光として光ファイバ５０へ反射する。光学素子７４，７５，７６，７７は、「第１光学素子」の一例である。
【００２３】
これら光学素子７４，７５，７６，７７の波長特性は、それぞれ、図５〜図８のように表される。ここで、図５〜図８は、実施例１における各光学素子の波長特性の一例を示す図である。図５〜図８において、横軸は、波長を示し、左側の縦軸は、各光学素子の透過率を示し、右側の縦軸は、各光学素子の反射率を示している。各光学素子の透過率のグラフは実線で表され、各光学素子の反射率のグラフは破線で表される。光学素子７４は、図５に示すように、入射される光の一部に相当する５％を透過し、かつ、入射される光の残りの部分に相当する９５％を反射する。光学素子７５は、図６に示すように、波長λ２の光の一部に相当する５％を透過し、かつ、波長λ２の光の残りの部分に相当する９５％と他の波長の光とを反射する。光学素子７６は、図７に示すように、波長λ３の光の一部に相当する５％を透過し、かつ、波長λ３の光の残りの部分に相当する９５％と他の波長の光とを反射する。光学素子７７は、図８に示すように、波長λ４の光の一部に相当する５％を透過し、かつ、波長λ４の光の残りの部分に相当する９５％と他の波長の光とを反射する。
【００２４】
光学素子７４は、図９に示すように、基板７４−１と、基板７４−１の一方の面に形成された光学膜７４−２と、基板７４−１の他方の面に形成された反射防止膜７４−３とを有する。図９は、実施例１における光学素子の構造の一例を示す図である。基板７４−１は、ガラス等の透光性を有する材料により形成された基板である。光学膜７４−２は、入射される波長λ１の光の一部を基板７４−１へ透過し、かつ、波長λ１の光の残りの部分を反射する。反射防止膜７４−３は、光学膜７４−２によって基板７４−１へ透過された波長λ１の光の反射を防止する。光学素子７４が光合成器３０に設置される場合、光学膜７４−２がＬＤ１３に対向し、反射防止膜７４−３がＰＤ７８に対向する。
【００２５】
光学素子７５は、図１０に示すように、基板７５−１と、基板７５−１の一方の面に形成された光学膜７５−２と、光学膜７５−２上に形成されたＢＰＦ７５−３と、基板７５−１の他方の面に形成された反射防止膜７５−４とを有する。図１０は、実施例１における光学素子の構造の一例を示す図である。基板７５−１は、ガラス等の透光性を有する材料により形成された基板である。光学膜７５−２は、ＢＰＦ７５−３によって透過される波長λ２の光の一部を基板７５−１へ透過し、かつ、ＢＰＦ７５−３によって透過される波長λ２の光の残りの部分をＢＰＦ７５−３へ反射する。ＢＰＦ７５−３は、波長λ２の光（光学膜７５−２へ向かう波長λ２の光及び光学膜７５−２によって反射された波長λ２の光）を透過し、かつ、他の波長の光を反射する。反射防止膜７５−４は、光学膜７５−２によって基板７５−１へ透過された波長λ２の光の反射を防止する。光学素子７５が光合成器３０に設置される場合、ＢＰＦ７５−３がＢＰＦ７１に対向し、反射防止膜７５−４がＰＤ７９に対向する。
【００２６】
なお、光学素子７６，７７は、基本的には、図１０に示した光学素子７５と同様の構造を有する。すなわち、光学素子７６，７７は、それぞれ、基板と、基板の一方の面に形成された光学膜と、光学膜上に形成されたＢＰＦと、基板の他方の面に形成された反射防止膜とを有する。ただし、光学素子７６のＢＰＦは、波長λ３の光を透過し、かつ、他の波長の光を反射する。また、光学素子７７のＢＰＦは、波長λ４の光を透過し、かつ、他の波長の光を反射する。
【００２７】
図１の説明に戻る。ＰＤ７８，７９，８０，８１は、光学素子７４，７５，７６，７７によって透過された第１波長の光の一部又は第２波長の光の一部を受光する。具体的には、ＰＤ７８は、光学素子７４によって透過された波長λ１の光の一部を受光する。また、ＰＤ７９は、光学素子７５によって透過された波長λ２の光の一部を受光する。また、ＰＤ８０は、光学素子７６によって透過された波長λ３の光の一部を受光する。また、ＰＤ８１は、光学素子７７によって透過された波長λ４の光の一部を受光する。このように、ＰＤ７８，７９，８０，８１が各波長の光の一部を受光することにより、波長毎に光のモニタリングを行うことが可能となる。
【００２８】
レンズ４０は、光合成器３０によって出力された合成光、つまり、光学素子７７によって光ファイバ５０へ反射された合成光を集光する。
【００２９】
光ファイバ５０は、終端光源であるＬＤ１６から発せられた波長λ４の光の進行方向と交差する方向に沿って配置され、光合成器３０によって出力された合成光を伝送する。
【００３０】
制御回路６１，６２，６３，６４は、ＰＤ７８，７９，８０，８１によって受光された第１波長の光の一部又は第２波長の光の一部を示す値と、予め定められた目標値との差分に基づいて、ドライバ１１によって各ＬＤへ供給される駆動信号を制御する。具体的には、制御回路６１は、ＰＤ７８によって受光された波長λ１の光の一部を示す電流値と目標値との差分に基づいて、ドライバ１１によってＬＤ１３へ供給される駆動信号を制御する。また、制御回路６２は、ＰＤ７９によって受光された波長λ２の光の一部を示す電流値と目標値との差分に基づいて、ドライバ１１によってＬＤ１４へ供給される駆動信号を制御する。また、制御回路６３は、ＰＤ８０によって受光された波長λ３の光の一部を示す電流値と目標値との差分に基づいて、ドライバ１１によってＬＤ１５へ供給される駆動信号を制御する。また、制御回路６４は、ＰＤ８１によって受光された波長λ４の光の一部を示す電流値と目標値との差分に基づいて、ドライバ１１によってＬＤ１６へ供給される駆動信号を制御する。制御回路６１，６２，６３，６４は、「第１制御部」の一例である。
【００３１】
次に、図１に示した光モジュール１０による光モニタリング処理の一例について説明する。ＬＤ１３から発せられた波長λ１の光は、レンズ１７によってコリメートされ、光合成器３０の光学素子７４に入射する。光学素子７４に入射した波長λ１の光の一部は、光学素子７４によって透過され、波長λ１の光の残りの部分は、光学素子７４によってＢＰＦ７１へ反射される。光学素子７４によって透過された波長λ１の光の一部は、ＰＤ７８によって受光される。これにより、波長λ１の光のモニタリングを行うことが可能となる。
【００３２】
また、ＬＤ１４から発せられた波長λ２の光は、レンズ１８によってコリメートされ、光合成器３０のＢＰＦ７１に入射する。ＢＰＦ７１に入射した波長λ２の光は、ＢＰＦ７１によって透過される一方で、光学素子７４によって反射された波長λ１の光は、ＢＰＦ７１によって再び反射される。結果として、波長λ１の光と波長λ２の光とが合成され、得られた合成光、すなわち、波長λ１の光と波長λ２の光との合成光が光学素子７５に入射する。光学素子７５に入射した合成光に含まれる波長λ２の光の一部は、光学素子７５によって透過され、合成光の残りの部分、すなわち、波長λ１の光と波長λ２の光との合成光の残りの部分は、光学素子７５によってＢＰＦ７２へ反射される。光学素子７５によって透過された波長λ２の光の一部は、ＰＤ７９によって受光される。これにより、波長λ２の光のモニタリングを行うことが可能となる。
【００３３】
また、ＬＤ１５から発せられた波長λ３の光は、レンズ１９によってコリメートされ、光合成器３０のＢＰＦ７２に入射する。ＢＰＦ７２に入射した波長λ３の光は、ＢＰＦ７２によって透過される一方で、光学素子７５によって反射された合成光、すなわち、波長λ１の光と波長λ２の光との合成光は、ＢＰＦ７２によって再び反射される。結果として、波長λ１の光と波長λ２の光との合成光と、波長λ３の光とが合成され、得られた合成光、すなわち、波長λ１の光と波長λ２の光と波長λ３の光との合成光が光学素子７６に入射する。光学素子７６に入射した合成光に含まれる波長λ３の光の一部は、光学素子７６によって透過され、合成光の残りの部分、すなわち、波長λ１の光と波長λ２の光と波長λ３の光との合成光の残りの部分は、光学素子７６によってＢＰＦ７３へ反射される。光学素子７６によって透過された波長λ３の光の一部は、ＰＤ８０によって受光される。これにより、波長λ３の光のモニタリングを行うことが可能となる。
【００３４】
また、ＬＤ１６から発せられた波長λ４の光は、レンズ２０によってコリメートされ、光合成器３０のＢＰＦ７３に入射する。ＢＰＦ７３に入射した波長λ３の光は、ＢＰＦ７３によって透過される一方で、光学素子７６によって反射された合成光、すなわち、波長λ１の光と波長λ２の光と波長λ３の光との合成光は、ＢＰＦ７３によって再び反射される。結果として、波長λ１の光と波長λ２の光と波長λ３の光との合成光と、波長λ４の光とが合成され、得られた合成光、すなわち、波長λ１の光と波長λ２の光と波長λ３の光と波長λ４の光との合成光が光学素子７７に入射する。光学素子７７に入射した合成光に含まれる波長λ４の光の一部は、光学素子７７によって透過され、合成光の残りの部分、すなわち、波長λ１の光と波長λ２の光と波長λ３の光と波長λ４の光との合成光の残りの部分は、光学素子７７によって光ファイバ５０へ反射される。光学素子７７によって透過された波長λ４の光の一部は、ＰＤ８１によって受光される。これにより、波長λ４の光のモニタリングを行うことが可能となる。
【００３５】
次に、図１に示した光モジュール１０によるＡＰＣ処理の一例を説明する。図１１は、実施例１に係る光モジュールによるＡＰＣ処理の一例を示すフローチャートである。ここでは、一例として、制御回路６１によるＡＰＣ処理を説明する。
【００３６】
図１１に示すように、制御回路６１は、ＰＤ７８によって受光された波長λ１の光の一部を示す電流値を取得する（ステップＳ１０１）。制御回路６１は、波長λ１の光の一部を示す電流値と目標値との差分を算出する（ステップＳ１０２）。
【００３７】
そして、制御回路６１は、算出した差分に基づいて、ドライバ１１によってＬＤ１３へ供給される駆動信号の電流値を制御する（ステップＳ１０３）。例えば、制御回路６１は、波長λ１の光の一部を示す電流値が目標値を下回る場合、ドライバ１１によってＬＤ１３へ供給される駆動信号の電流値を増加させる。また、例えば、制御回路６１は、波長λ１の光の一部を示す電流値が目標値を超える場合、ドライバ１１によってＬＤ１３へ供給される駆動信号の電流値を減少させる。これにより、ＬＤ１３の発光強度が経年劣化により変化した場合であっても、ＬＤ１３の出力レベルを一定に維持することが可能となる。
【００３８】
その後、制御回路６１は、処理を終了しない場合（ステップＳ１０４否定）、処理をステップＳ１０１に戻し、処理を終了する場合（ステップＳ１０４肯定）、ＡＰＣ処理を終了する。
【００３９】
上述したように、本実施例によれば、光合成器３０が、ＢＰＦ７１，７２，７３と、光学素子７４，７５，７６，７７と、ＰＤ７８，７９，８０，８１とを有する。ＢＰＦ７１，７２，７３は、第１波長の光を発するＬＤ以外のＬＤ毎に配置され、各ＬＤから発せられた第２波長の光を透過し、かつ、第２波長の光の進行方向と交差する方向から入射される他の光を反射して、第２波長の光と他の光との合成光を出力する。光学素子７４，７５，７６，７７は、第１波長の光の一部又はＢＰＦ７１，７２，７３から出力された合成光に含まれる第２波長の光の一部を透過し、かつ、当該一部を除く他の光を第２波長の光の進行方向と交差する方向へ反射する。ＰＤ７８，７９，８０，８１は、光学素子７４，７５，７６，７７によって透過された第１波長の光の一部又は第２波長の光の一部を受光する。このため、本実施例に係る光モジュール１０は、ＰＤによって波長毎の光パワーをモニタリングすることができる。また、本実施例に係る光モジュール１０は、光合成器内の反射素子に光の一部を透過する透過部を設ける従来技術と比較して、波長選択性を有する光学部品を削減することができるので、構成の複雑化を回避することができる。結果として、本実施例に係る光モジュール１０は、簡易な構成で波長毎の光パワーのモニタリングを行うことができる。
【００４０】
また、本実施例によれば、ドライバ１１がＬＤ１３，１４，１５，１６の後方に配置されるので、ドライバ１１と各ＬＤとを結ぶ信号線を短くすることができ、各ＬＤへ供給される駆動信号の劣化を抑えることができる。結果として、本実施例に係る光モジュール１０は、各ＬＤへ供給される駆動信号の劣化を抑えつつ、簡易な構成で波長毎の光パワーのモニタリングを行うことができる。
【００４１】
また、本実施例によれば、光ファイバ５０が、終端光源であるＬＤ１６から発せられた波長λ４の光の進行方向と交差する方向に沿って配置される。そして、ＬＤ１６に配置されたＢＰＦ７３に対応する光学素子７７が、ＢＰＦ７３から出力された合成光に含まれる波長λ４の光の一部を透過し、かつ、当該一部を除く合成光を光ファイバ５０へ反射する。このため、本実施例に係る光モジュール１０は、光ファイバ５０の配置態様の自由度を向上しつつ、簡易な構成で波長毎の光パワーのモニタリングを行うことができる。
【００４２】
また、本実施例によれば、制御回路６１，６２，６３，６４が、ＰＤ７８，７９，８０，８１によって受光された第１波長の光の一部又は第２波長の光の一部を示す値と目標値との差分に基づいて、ドライバ１１によって各ＬＤへ供給される駆動信号を制御する。このため、本実施例に係る光モジュール１０は、各ＬＤの発光強度が経年劣化により変化した場合であっても、各ＬＤの出力レベルを一定に維持することが可能となる。
【実施例２】
【００４３】
次に、実施例２について説明する。実施例２に係る光モジュールは、光合成器の構造、光ファイバの配置態様を除き、上記実施例１に係る光モジュール１０と同様の構成を有する。したがって、実施例２では、上記実施例１と共通する構成要素には、同一の参照符号を用いるとともに、その詳細な説明は省略する。
【００４４】
図１２は、実施例２に係る光モジュールの構成を示す図である。図１２に示す光モジュール１０ａにおいて、光合成器３０ａは、ＢＰＦ７１，７２と、光学素子７４，７５，７６と、光学素子９１と、ＰＤ７８，７９，８０と、ＰＤ８１ａとを有する。そして、ＢＰＦ７１，７２と、光学素子７４，７５，７６と、光学素子９１とによってジグザグ状の光路が形成される。
【００４５】
ＢＰＦ７１，７２は、ＬＤ１４，１５に関してＬＤ毎に配置され、各ＬＤから発せられた第２波長の光を透過し、かつ、第２波長の光の進行方向と交差する方向から入射される他の光を反射して、第２波長の光と他の光との合成光を出力する。すなわち、本実施例では、ＢＰＦは、終端光源としてのＬＤ１６に配置されない。
【００４６】
光学素子７６は、ＢＰＦ７２から出力された合成光に含まれる波長λ３の光の一部を透過し、かつ、当該一部を除く合成光を他の光として光学素子９１へ反射する。
【００４７】
光学素子９１は、終端光源としてのＬＤ１６に配置される。光学素子９１は、ＬＤ１６から発せられた波長λ４の光の一部を反射し、当該一部を除く波長λ４の光を透過し、かつ、波長λ４の光の進行方向と交差する方向から入射される他の光を反射して、波長λ４の光と他の光との合成光を出力する。具体的には、光学素子９１は、波長λ４の光と、光学素子７６によって反射された合成光、すなわち、波長λ１の光と波長λ２の光と波長λ３の光との合成光とを合成する。そして、光学素子９１は、得られた合成光、すなわち、波長λ１の光と波長λ２の光と波長λ３の光と波長λ４の光との合成光を光ファイバ５０ａへ出力する。光学素子９１は、「第２光学素子」の一例である。
【００４８】
光学素子９１の波長特性は、図１３のように表される。ここで、図１３は、実施例２における光学素子の波長特性の一例を示す図である。図１３において、横軸は、波長を示し、左側の縦軸は、光学素子９１の透過率を示し、右側の縦軸は、光学素子９１の反射率を示している。光学素子９１の透過率のグラフは実線で表され、光学素子の反射率のグラフは破線で表される。光学素子９１は、図１３に示すように、波長λ４の光の一部に相当する５％を反射し、かつ、波長λ４の光の残りの部分に相当する９５％を透過し、かつ、他の波長の光を反射する。
【００４９】
光学素子９１は、図１４に示すように、基板９１−１と、基板９１−１の一方の面に形成された光学膜９１−２と、光学膜９１−２上に形成されたＢＰＦ９１−３と、基板９１−１の他方の面に形成された反射防止膜９１−４とを有する。図１４は、実施例２における光学素子の構造の一例を示す図である。基板９１−１は、ガラス等の透光性を有する材料に形成された基板である。光学膜９１−２は、波長λ４の光の一部を反射し、波長λ４の光の残りの部分をＢＰＦ９１−３へ透過する。ＢＰＦ９１−３は、光学膜９１−２によって透過された波長λ４の光を透過し、かつ、他の波長の光を反射する。反射防止膜９１−４は、光学膜９１−２へ向かう波長λ４の光の反射を防止する。光学素子９１が光合成器３０ａに設置される場合、ＢＰＦ９１−３が光ファイバ５０ａに対向し、反射防止膜９１−４がＬＤ１６に対向する。
【００５０】
図１２の説明に戻る。ＰＤ８１ａは、光学素子９１によって反射された波長λ４の光の一部を受光する。
【００５１】
また、図１２に示す光モジュール１０ａにおいて、レンズ４０ａは、光合成器３０ａによって出力された合成光、つまり、光学素子９１によって出力された合成光を集光する。
【００５２】
光ファイバ５０ａは、終端光源であるＬＤ１６から発せられた波長λ４の光の進行方向に沿って配置され、光合成器３０ａによって出力された合成光を伝送する。
【００５３】
制御回路６４ａは、ＰＤ８１ａによって受光された第２波長の光の一部を示す値と、予め定められた目標値との差分に基づいて、ドライバ１１によってＬＤ１６へ供給される駆動信号を制御する。具体的には、制御回路６４ａは、ＰＤ８１ａによって受光された波長λ４の光の一部を示す電流値と目標値との差分に基づいて、ドライバ１１によってＬＤ１６へ供給される駆動信号を制御する。制御回路６４ａは、「第２制御部」の一例である。
【００５４】
上述したように、本実施例によれば、ＢＰＦが、終端光源としてのＬＤ１６に配置されず、光合成器３０ａが、光学素子９１と、ＰＤ８１ａとを有する。光学素子９１は、ＬＤ１６に配置される。そして、光学素子９１は、ＬＤ１６から発せられた波長λ４の光の一部を反射し、当該一部を除く波長λ４の光を透過し、かつ、波長λ４の光の進行方向と交差する方向から入射される他の光を反射して、波長λ４の光と他の光との合成光を出力する。ＰＤ８１ａは、光学素子９１によって反射された波長λ４の光の一部を受光する。このため、本実施例に係る光モジュール１０ａは、ＰＤによって波長毎の光パワーをモニタリングすることができる。また、本実施例に係る光モジュール１０ａは、光合成器内の反射素子に光の一部を透過する透過部を設ける従来技術と比較して、波長選択性を有する光学部品を削減することができるので、構成の複雑化を回避することができる。結果として、本実施例に係る光モジュール１０ａは、簡易な構成で波長毎の光パワーのモニタリングを行うことができる。さらに、本実施例に係る光モジュール１０ａは、実施例１に係る光モジュールと比較して、ＢＰＦを削減することができる。
【００５５】
また、本実施例によれば、光ファイバ５０ａが、終端光源であるＬＤ１６から発せられた波長λ４の光の進行方向に沿って配置される。そして、光学素子９１が、合成光を光ファイバ５０ａへ出力する。このため、本実施例に係る光モジュール１０ａは、各ＬＤから光が出射される方向と、光ファイバ５０ａの配置方向とを合致させることができ、その結果、光モジュール１０ａの実装性を向上することができる。
【符号の説明】
【００５６】
１０，１０ａ  光モジュール
１１  ドライバ
１２  ベース部材
１３，１４，１５，１６  ＬＤ
１７，１８，１９，２０  レンズ
３０，３０ａ  光合成器
４０，４０ａ  レンズ
５０，５０ａ  光ファイバ
６１，６２，６３，６４  制御回路
６４ａ  制御回路
７１，７２，７３  ＢＰＦ
７４，７５，７６，７７  光学素子
７８，７９，８０，８１，８１ａ  ＰＤ
９１  光学素子
【図１】
0006672745.tif 000002
【図２】
0006672745.tif 000003
【図３】
0006672745.tif 000004
【図４】
0006672745.tif 000005
【図５】
0006672745.tif 000006
【図６】
0006672745.tif 000007
【図７】
0006672745.tif 000008
【図８】
0006672745.tif 000009
【図９】
0006672745.tif 000010
【図１０】
0006672745.tif 000011
【図１１】
0006672745.tif 000012
【図１２】
0006672745.tif 000013
【図１３】
0006672745.tif 000014
【図１４】
0006672745.tif 000015